(57)【要約】【課題】  コンパウンドと、支持部材のプレート部との接合性、接着性を高め、検体を薄切りするときの振動、衝撃で凍結ブロックが支持部材から脱落することを防止し、またコンパウンドをトレイに注入する操作を、簡単、迅速にできるようにする。【解決手段】  病理組織の検体１を収容するトレイ２と、このトレイ２に注入するコンパウンド３の凍結ブロック４を支持する支持部材５とを備える。支持部材５のコンパウンド３と接触するプレート部６に、コンパウンド３の逃し孔７を形成する。コンパウンド３と接触するプレート部６の表側の面６ａを、凹凸状に形成すると共に、プレート部６の裏側の面の周囲に、コンパウンド３の流出を防止する囲い壁９を形成する。【選択図】      図１
0003143450.tif 000002
【実用新案登録請求の範囲】
【請求項１】
病理組織の検体を収容するトレイと、このトレイに注入するコンパウンドの凍結ブロックを支持する支持部材とを備え、この支持部材のコンパウンドと接触するプレート部に、コンパウンドの逃し孔が形成されている病理組織検査試料の作成用具であって、コンパウンドと接触する上記のプレート部の表側の面が凹凸状に形成されると共に、プレート部の裏側の面の周囲に、コンパウンドの流出を防止する囲い壁が形成されていることを特徴とする病理組織検査試料の作成用具。
【請求項２】
請求項１記載の病理組織検査試料の作成用具であって、支持部材の支持用の摘みが、プレート部の裏側の中央に、プレート部に直交して棒状に形成されていることを特徴とする病理組織検査試料の作成用具。
【請求項３】
請求項２記載の病理組織検査試料の作成用具であって、プレート部の孔が、スリット状に且つ摘みを介して線対称状に形成されていることを特徴とする病理組織検査試料の作成用具。
【考案の詳細な説明】
【技術分野】
【０００１】
本考案は、病理組織検査試料の作成用具に関し、更に詳しくは病理組織を収納するトレイと、このトレイと共に使用する支持部材との組み合わせに係る病理組織検査試料の作成用具に関するものである。
【背景技術】
【０００２】
従来、この種の用具としては、例えば特許文献１に記載されているものがある。
この従来品は、病理組織の検体を収容するトレイと、このトレイに注入するコンパウンド（支持剤）の凍結ブロックを支持する支持部材とを備え、この支持部材のコンパウンドと接触するプレート部に、コンパウンドの逃し孔が形成されている。
【０００３】
而して上記の従来品は、コンパウンドと接触する支持部材のプレート部の表側の面が平面状に形成されていた。従って従来品の場合は、コンパウンドと支持部材のプレート部との接合性、接着性が不十分の場合が多く、その結果、検体を包埋したコンパウンドを液体窒素等の冷媒で冷凍処理した後、その凍結ブロックを薄切りするとき、振動や衝撃で凍結ブロックが支持部材から脱落することがあった。
また従来品は、トレイの収容部に注入するコンパウンドの量が多いと、支持部材の逃し孔を介してプレート部の裏側からコンパウンドが溢れて側方に流れ出し、逆に少ないとプレート部とコンパウンドとの接合性、接着性が不十分になり易いものであった。
従って従来品の場合は、コンパウンドの注入に神経を使い、検査試料の作成に手間暇と熟練を要する、という問題点があった。
【特許文献１】実開平３−１０２４５号公報
【考案の開示】
【考案が解決しようとする課題】
【０００４】
本考案は、このような従来の問題点に鑑み、提案されたものである。
従って本考案の解決しようとする技術的課題は、コンパウンドと、支持部材のプレート部との接合性、接着性を高め、検体を薄切りするときの振動、衝撃で凍結ブロックが支持部材から脱落することを防止でき、またコンパウンドをトレイに注入する操作を、簡単、迅速にできるよう形成した病理組織検査試料の作成用具を提供することにある。
【課題を解決するための手段】
【０００５】
本考案は、上記の課題を解決するため、次ぎのような技術的手段を採る。
即ち、本考案は、図１等に示されるように、病理組織の検体１を収容するトレイ２と、このトレイ２に注入するコンパウンド３の凍結ブロック４を支持する支持部材５とを備え、この支持部材５のコンパウンド３と接触するプレート部６に、コンパウンド３の逃し孔７が形成されている病理組織検査試料の作成用具であって、コンパウンド３と接触する上記のプレート部６の表側の面６ａが凹凸状に形成されると共に、プレート部６の裏側の面の周囲に、コンパウンド３の流出を防止する囲い壁９が形成されていることを特徴とする（請求項１）。
【０００６】
この場合、本考案は、上記の支持部材５の支持用の摘み１０が、プレート部６の裏側の中央に、プレート部６に直交して棒状に形成されているのが好ましい（請求項２）。
なぜなら、これによると、冷凍したコンパウンド３の凍結ブロック４を薄切りして検査試料を作成するとき、摘み１０を軸にして任意の角度に回して固定することが容易になり、検査試料を薄切りし易くなるからである。
【０００７】
また本考案は、プレート部６の孔７が、スリット状に且つ摘み１０を介して線対称状に形成されているのが好ましい（請求項３）。
なぜなら、これによると、プレート部６の強度を維持できながら、孔７を介してコンパウンド３を満遍なく且つ迅速にプレート部６の裏側に逃して行き渡らせることができるからである。
【考案の効果】
【０００８】
本考案は、このようにコンパウンドと接触する支持部材のプレート部の表側の面を凹凸状に形成すると共に、プレート部の裏側の面の周囲に、コンパウンドの流出を防止する囲い壁を形成しているものである。
従って本考案の場合は、コンパウンドと支持部材のプレート部との接触面積が大きくなり、コンパウンドが凹凸の間に入り込むことになる。
それ故これによれば、コンパウンドと支持部材のプレート部との接合性、接着力が増大するから、検体を薄切りするときの振動、衝撃で凍結ブロックが支持部材から脱落することを防止できる。
また本考案の場合は、コンパウンドをトレイに多めに注入しても、孔から支持部材の裏側に逃れたコンパウンドが側方へ流出することを、囲い壁によって防止できる。
従ってこれによれば、コンパウンドを無駄にしたり、周りを汚すことなく、初心者でも比較的簡単に、且つ迅速に、コンパウンドをトレイに注入することができる。
【考案を実施するための最良の形態】
【０００９】
以下、本考案を実施するための最良の形態を説明する。
本考案は、図１等に示されるように、病理組織の検体１を収容するトレイ２と、このトレイ２に注入するコンパウンド３の凍結ブロック４を支持する支持部材５とを備え、この支持部材５のコンパウンド３と接触するプレート部６に、コンパウンド３の逃し孔７が形成されている。
【００１０】
上記のトレイ２は、この実施形態では厚さが０．５（ｍｍ）のアルミニウムで形成されている。このトレイ２の検体１の収容部２ａの周側面は、外方（上方）に向かって末広がりの傾斜面に形成されている。またトレイ２の上部の周りには、手指で支持し易くなるよう把持部２ｂがフランジ状に形成され、把持部２ｂと収容部２ａの上縁との間は段差面２ｃに形成されている。なお把持部２ｂは、材料の節減化のため、一部（図２の上部）がカットされている。
【００１１】
また上記の支持部材５は、プレート部６の表側の面６ａが、凹凸状に形成されている。この実施形態では、同じ形状、大きさのブロック形の突起８が、面６ａに万遍なく形成されている。
また支持部材５は、プレート部６の裏側の面の周囲に、コンパウンド３の流出を防止する囲い壁９が形成されている。この囲い壁９は、突起８と同様、プレート部６と一体成形され、プレート部６の裏側の面の周囲から同じ高さに立ち上げられ、プレート部６の裏側の面の周囲を囲繞するよう形成されている。
【００１２】
また１０は、支持部材５を支持するための摘みである。この摘み１０は、プレート部６の裏側の中央に、プレート部６に直交して、この実施形態では丸棒状に形成されている。
【００１３】
また本考案の場合、上記のプレート部６の孔７は、図５に示されるように、スリット状に、且つ摘み１０を介して線対称状に形成されている。即ち、孔７は、この実施形態ではプレート部６の短幅方向に延びる孔７が摘み１０を介して２本づつ、またプレート部６の長手方向に延びる孔７が摘み１０の両側に１個づつ形成されている。
【００１４】
次に本考案の使い方を説明する。
先ず作業者は、図１Ａ、図６等に示されるように、トレイ２に病理組織の検体１を入れる。次に、粘液状のコンパウンド３を、収容部２ａの開口面より僅かに上になる位置まで注入する。そして作業者は、図７に示されるように、支持部材５のプレート部６の表側の面６ａを、コンパウンド３に押し付け、プレート部６を収容部２ａの周りの段差面２ｃに当接させる。
【００１５】
これにより、図８に示されるように、コンパウンド３が、スリット状の孔７を介してプレート部６の裏側に逃れ、孔７を介してプレート部６を包み込み、コンパウンド３とプレート部６とが一体化する。この場合、プレート部６の裏側の面に逃れたコンパウンド３は、囲い壁９により、側方へ流出することが防止される。なお、当初の注入量が、少なめであったときは、囲い壁９で囲まれたスペースに作業者はコンパウンド３を注ぎ足す。
【００１６】
次に作業者は、トレイ２と支持部材５を冷凍庫に入れ、コンパウンド３を冷凍する。そして冷凍後、トレイ２を支持部材５から取り外す（図１Ｂ、図９の状態参照）。これにより、支持部材５に支持された状態のコンパウンド３の凍結ブロック４が得られる。その後、作業者は、支持部材５の摘み１０を、冷凍庫を備えた薄切り加工機のホルダー部に固定し、検体１を薄切りして検査試料を作成する。
【００１７】
以上の処において、本考案の場合、プレート部６の表側の面６ａの凹凸形態は、上例に限定されるものではない。即ち、この凹凸形態は、要はコンパウンド３との接触面積を増大できる形態であれば良い。
また本考案の場合、スリット状の孔７の数や幅、或いはその長さは自由である。また孔７は、コンパウンド３が均等にプレート部６の裏側に逃れてバランス良くプレート部６を包み込んでプレート部６に接着するよう、通常、プレート部６に線対称状に形成されるのが好ましいが、これに限定されるものではない。
【図面の簡単な説明】
【００１８】
【図１】本考案の用具の好適な一実施形態を示し、Ａは要部縦断面図、Ｂは支持部材の斜視図である。
【図２】トレイの平面図である。
【図３】トレイの正面図である。
【図４】支持部材の正面図である。
【図５】支持部材を示し、Ａは平面図、Ｂは底面図である。
【図６】本考案の用具の使い方を説明するための斜視図である。
【図７】本考案の用具の使い方を説明するための要部縦断面図である。
【図８】本考案の用具の使い方を説明するための要部縦断面図である。
【図９】本考案の用具の使い方を説明するための要部縦断面図である。
【符号の説明】
【００１９】
１    検体
２    トレイ
３    コンパウンド
４    凍結ブロック
５    支持部材
６    プレート部
６ａ  プレート部の表側の面
７    コンパウンドの逃し孔
８    突起
９    囲い壁
１０  摘み
【図１】
0003143450.tif 000003
【図２】
0003143450.tif 000004
【図３】
0003143450.tif 000005
【図４】
0003143450.tif 000006
【図５】
0003143450.tif 000007
【図６】
0003143450.tif 000008
【図７】
0003143450.tif 000009
【図８】
0003143450.tif 000010
【図９】
0003143450.tif 000011